【手続補正書】
【提出日】平成28年2月19日(2016.2.19)
【手続補正１】
【補正対象書類名】明細書
【補正対象項目名】発明の名称
【補正方法】変更
【補正の内容】
【発明の名称】撮像装置、その制御方法、およびプログラム
【手続補正２】
【補正対象書類名】明細書
【補正対象項目名】０００１
【補正方法】変更
【補正の内容】
【０００１】
本発明は、デジタルカメラなどの撮像装置、その制御方法、およびプログラムに関し、特に、連写モードで撮影を行う際、複数の撮影コマの間において露出の差を少なくして露出制御を行う撮像装置に関する。
【手続補正３】
【補正対象書類名】明細書
【補正対象項目名】００１１
【補正方法】変更
【補正の内容】
【００１１】
従って、本発明の目的は、パンニングなどによって構図が大きく変化した際においても適正な露出値で露出制御を行うことのできる撮像装置、その制御方法、およびプログラムを提供することにある。
【手続補正４】
【補正対象書類名】明細書
【補正対象項目名】００１２
【補正方法】変更
【補正の内容】
【００１２】
上記の目的を達成するため、本発明による撮像装置は、連続的な撮像を行うことで複数の静止画像を取得可能な撮像装置であって、前記撮像装置の方向の変化に関する変化量を検出する検出手段と、被写体を測光して測光値を取得する測光手段と、前記測光手段で取得した測光値に基づいて露出制御を実行する露出制御手段と、を有し、前記測光手段は、前記連続的な撮像を行う場合に、今回の撮像を行う際に被写体を測光して第１の測光値を取得し、前記露出制御手段は、前記連続的な撮像を行う場合に、前記検出手段で検出した前記変化量が所定の判定閾値を超えていると、前回の撮像を行う際に前記測光手段が被写体を測光して取得した第２の測光値に拘わらず前記第１の測光値に基づいて、今回の撮像を行う際の露出制御を実行することを特徴とする。
【手続補正５】
【補正対象書類名】明細書
【補正対象項目名】００１３
【補正方法】変更
【補正の内容】
【００１３】
また、上記の目的を達成するため、本発明による撮像装置の制御方法は、連続的な撮像を行うことで複数の静止画像を取得可能な撮影装置の制御方法であって、前記撮像装置の方向の変化に関する変化量を検出する検出ステップと、被写体を測光して測光値を取得する測光ステップと、前記測光ステップで取得された測光値に基づいて露出制御を実行する露出制御ステップと、を有し、前記露出制御ステップでは、前記連続的な撮像が行われる場合に、前記検出ステップで検出された前記変化量が所定の判定閾値を超えていると、前回の撮像を行う際に前記測光ステップで取得された第２の測光値に拘わらず今回の撮像を行う際に前記測光ステップで取得された第１の測光値に基づいて、今回の撮像を行う際の露出制御を実行することを特徴とする。
【手続補正６】
【補正対象書類名】明細書
【補正対象項目名】００１４
【補正方法】変更
【補正の内容】
【００１４】
また、上記の目的を達成するため、本発明によるプログラムは、撮像装置の制御方法をコンピュータで実行させるためにコンピュータで読み取り可能であって、前記撮像装置の制御方法は、前記撮像装置の方向の変化に関する変化量を検出する検出ステップと、被写体を測光して測光値を取得する測光ステップと、前記測光ステップで取得された測光値に基づいて露出制御を実行する露出制御ステップと、を有し、前記露出制御ステップでは、連続的な撮像を行うことで複数の静止画像を取得する場合に、前記検出ステップで検出された前記変化量が所定の判定閾値を超えていると、前回の撮像の際に前記測光ステップで取得された第２の測光値に拘わらず今回の撮像を行う際に前記測光ステップで取得された第１の測光値に基づいて、今回の撮像を行う際の露出制御を実行する、ことを特徴とする。
【手続補正７】
【補正対象書類名】明細書
【補正対象項目名】００９３
【補正方法】変更
【補正の内容】
【００９３】
例えば、上記の実施の形態の機能を制御方法として、この制御方法を撮像装置に実行させるようにすればよい。また、上述の実施の形態の機能を有するプログラムを撮像装置が備えるコンピュータに実行させるようにしてもよい。なお、当該プログラムは、例えば、コンピュータに読み取り可能な記録媒体に記録される。
【手続補正８】
【補正対象書類名】特許請求の範囲
【補正対象項目名】全文
【補正方法】変更
【補正の内容】
【特許請求の範囲】
【請求項１】
連続的な撮像を行うことで複数の静止画像を取得可能な撮像装置であって、
前記撮像装置の方向の変化に関する変化量を検出する検出手段と、
被写体を測光して測光値を取得する測光手段と、
前記測光手段で取得した測光値に基づいて露出制御を実行する露出制御手段と、を有し、
前記測光手段は、前記連続的な撮像を行う場合に、今回の撮像を行う際に被写体を測光して第１の測光値を取得し、
前記露出制御手段は、前記連続的な撮像を行う場合に、前記検出手段で検出した前記変化量が所定の判定閾値を超えていると、前回の撮像を行う際に前記測光手段が被写体を測光して取得した第２の測光値に拘わらず前記第１の測光値に基づいて、今回の撮像を行う際の露出制御を実行することを特徴とする撮像装置。
【請求項２】
前記露出制御手段は、前記連続的な撮像を行う場合に、前記変化量が前記判定閾値以下であって、前記第１の測光値と前記第２の測光値との差分の絶対値が予め設定された閾値以下であると、前記第１の測光値および前記第２の測光値に基づいて、今回の撮像を行う際の露出制御を実行することを特徴とする請求項１に記載の撮像装置。
【請求項３】
前記露出制御手段は、前記連続的な撮像を行う場合に、前記変化量が前記判定閾値以下であって、前記第１の測光値と前記第２の測光値との差分の絶対値が前記予め設定された閾値を超えていると、前記第２の測光値に拘わらず前記第１の測光値に基づいて、今回の撮像を行う際の露出制御を実行することを特徴とする請求項２に記載の撮像装置。
【請求項４】
前記測光手段は複数の測光エリア毎に測光値を取得可能であって、
前記露出制御手段は、前記測光エリア毎に得られた前記第１の測光値と前記第２の測光値との差分の絶対値に応じてその度数分布を求め、当該度数分布に基づいて前記判定閾値を変更することを特徴とする請求項１乃至３のいずれか１項に記載の撮像装置。
【請求項５】
前記露出制御手段は、前記度数分布における最大度数が第２の度数閾値を超えると前記判定閾値を第１の判定閾値とし、前記最大度数が前記第２の度数閾値よりも小さい第１の度数閾値以下となると、前記判定閾値を前記第１の判定閾値よりも大きい第３の判定閾値とし、前記最大度数が前記第２の度数閾値以下で前記第１の度数閾値を超えると、前記第１の判定閾値および前記第２の判定閾値の間の第２の判定閾値と前記第３の判定閾値とを結ぶ直線に沿って前記最大度数の変化に応じて前記判定閾値を変化させることを特徴とする請求項４に記載の撮像装置。
【請求項６】
前記検出手段は、前記撮像装置に加わる角速度に基づいてパンニングが行われている際の前記変化量を検出することを特徴とする請求項１乃至５のいずれか１項に記載の撮像装置。
【請求項７】
連続的な撮像を行うことで複数の静止画像を取得可能な撮影装置の制御方法であって、
前記撮像装置の方向の変化に関する変化量を検出する検出ステップと、
被写体を測光して測光値を取得する測光ステップと、
前記測光ステップで取得された測光値に基づいて露出制御を実行する露出制御ステップと、を有し、
前記露出制御ステップでは、前記連続的な撮像が行われる場合に、前記検出ステップで検出された前記変化量が所定の判定閾値を超えていると、前回の撮像を行う際に前記測光ステップで取得された第２の測光値に拘わらず今回の撮像を行う際に前記測光ステップで取得された第１の測光値に基づいて、今回の撮像を行う際の露出制御を実行することを特徴とする撮像装置の制御方法。
【請求項８】
撮像装置の方向の変化に関する変化量を検出する検出ステップと、
被写体を測光して測光値を取得する測光ステップと、
前記測光ステップで取得された測光値に基づいて露出制御を実行する露出制御ステップと、を有し、
前記露出制御ステップでは、連続的な撮像を行うことで複数の静止画像を取得する場合に、前記検出ステップで検出された前記変化量が所定の判定閾値を超えていると、前回の撮像の際に前記測光ステップで取得された第２の測光値に拘わらず今回の撮像を行う際に前記測光ステップで取得された第１の測光値に基づいて、今回の撮像を行う際の露出制御を実行する、ことを特徴とする撮像装置の制御方法をコンピュータで実行させるためにコンピュータで読み取り可能なプログラム。